(57)【特許請求の範囲】
【請求項１】
下枠とスロープと端部キャップとを備え、下枠は、略平坦な上壁と、上壁から浴室側に面して立ち上がる立ち上がり片を有し、上壁は、浴室床面と同じ高さか若干高い高さに位置しており、立ち上がり片は、障子閉鎖時に障子の浴室側下端に設けたタイト材が当接するものであり、スロープは、立ち上がり片の浴室側に配置し立ち上がり片に着脱自在としてあり、頂部が立ち上がり片と略同じ高さとなっており、浴室側に向って下方に傾斜した上面壁と立ち上がり片に隣接する垂下壁とで下方に開放した空間部を形成しており、上面壁の浴室側端部下面側に長手方向にタイト材保持部を有し、タイト材保持部に浴室床面に当接するタイト材が取付けてあり、端部キャップは、キャップ本体部と、キャップ本体部のスロープ側に突設した挿入部を有し、挿入部をスロープの空間部又はタイト材保持部に挿入してスロープの長手方向端部に取付けてあり、キャップ本体部は、内部に下方に開放した空間部を有し、下枠の立ち上がり片には、キャップ本体部内の空間部と連通する排水口とスロープ内の空間部と連通する排水口とが設けてあり、キャップ本体部内の空間部とスロープ内の空間部とが連通しており、キャップ本体部の浴室側にキャップ本体部内の空間部と連通する排水口を設けてあり、立ち上がり片より脱衣室側の下枠上に浸入した水をキャップ本体部の排水口から浴室側に排水することを特徴とする浴室戸。
【請求項２】
端部キャップは、スロープ側に突出する突出部を備え、突出部は係止部を有し、係止部は、スロープの垂下壁又はタイト材保持部に設けた被係止部に係止していることを特徴とする請求項１記載の浴室戸。  
【発明の詳細な説明】
【技術分野】
【０００１】
本発明は、下枠の浴室側にスロープを配置して浴室出入口の段差を解消した浴室戸に関する。
【背景技術】
【０００２】
近年の浴室においては、浴室出入口の段差をなくしたバリアフリー構造が多く採用されており、特許文献１記載のものは、脱衣室の床面を浴室の床面よりも高くし、下枠の浴室側に設置したスロープにより段差を解消している。
【特許文献１】特開２０００−３５２２７８号公報
【発明の開示】
【発明が解決しようとする課題】
【０００３】
近年、スロープの高さをより低くすることが求められており、上記特許文献１記載のものは、下枠の浴室側に浴室床面から立ち上がる立ち上がり部を有し、この立ち上がり部の上にスロープの脱衣室側端部を係合してスロープを取付けていたので、スロープの高さを低くできなかった。また、スロープの高さを低くすると、湯船のお湯が溢れたときなどに下枠上に水が浸入しやすくなるが、特許文献１記載のものは、下枠上に水が浸入すると、スロープの下面と浴室床面との間に形成された狭い空間部を通過させて、スロープの端部から排水するようにしているので、下枠上に浸入した水を浴室側に速やかに排水することができなかった。
本発明は以上に述べた実情に鑑みてなされたものであって、スロープの高さをなるべく低くしながら、下枠上に水が浸入しにくく、浸入しても速やかに浴室側に排水できる浴室戸の提供を目的とする。
【課題を解決するための手段】
【０００４】
上記の課題を達成するために請求項１記載の発明による浴室戸は、下枠とスロープと端部キャップとを備え、下枠は、略平坦な上壁と、上壁から浴室側に面して立ち上がる立ち上がり片を有し、上壁は、浴室床面と同じ高さか若干高い高さに位置しており、立ち上がり片は、障子閉鎖時に障子の浴室側下端に設けたタイト材が当接するものであり、スロープは、立ち上がり片の浴室側に配置し立ち上がり片に着脱自在としてあり、頂部が立ち上がり片と略同じ高さとなっており、浴室側に向って下方に傾斜した上面壁と立ち上がり片に隣接する垂下壁とで下方に開放した空間部を形成しており、上面壁の浴室側端部下面側に長手方向にタイト材保持部を有し、タイト材保持部に浴室床面に当接するタイト材が取付けてあり、端部キャップは、キャップ本体部と、キャップ本体部のスロープ側に突設した挿入部を有し、挿入部をスロープの空間部又はタイト材保持部に挿入してスロープの長手方向端部に取付けてあり、キャップ本体部は、内部に下方に開放した空間部を有し、下枠の立ち上がり片には、キャップ本体部内の空間部と連通する排水口とスロープ内の空間部と連通する排水口とが設けてあり、キャップ本体部内の空間部とスロープ内の空間部とが連通しており、キャップ本体部の浴室側にキャップ本体部内の空間部と連通する排水口を設けてあり、立ち上がり片より脱衣室側の下枠上に浸入した水をキャップ本体部の排水口から浴室側に排水することを特徴とする。
【０００５】
さらに請求項２記載の発明による浴室戸は、端部キャップは、スロープ側に突出する突出部を備え、突出部は係止部を有し、係止部は、スロープの垂下壁又はタイト材保持部に設けた被係止部に係止していることを特徴とする。
【発明の効果】
【０００６】
請求項１記載の発明による浴室戸は、下枠の略平坦な上壁が浴室床面と同じ高さか若干高い高さに位置し、スロープを立ち上がり片の浴室側に配置して、スロープの頂部を立ち上がり片と略同じ高さにしたので、スロープの高さを低くすることができる。スロープの高さを低くしても、障子閉鎖時に障子の浴室側下端に設けたタイト材が立ち上がり片に当接し、スロープに取付けたタイト材が浴室床面に当接しているので、立ち上がり片より脱衣室側の下枠上に水が浸入しにくく、たとえ浸入した場合でも浸入した水は、立ち上がり片にキャップ本体部内の空間部と連通して設けた排水口とキャップ本体部の浴室側に設けた排水口を通じて速やかに浴室側に排水できる。さらに本発明の浴室戸は、スロープ内の空間部と端部キャップ内の空間部を連通して設けてあり、立ち上がり片にはスロープの空間部と連通する排水口も設けてあるので、下枠の排水性がより一層向上しており、湯船からお湯が溢れるなどして下枠側に大量に水が押し寄せたときでも、スロープ内の広い空間部に水を一次的に多く溜めることができる。端部キャップは、キャップ本体部のスロープ側に突設した挿入部をスロープの空間部又はタイト材保持部に挿入するものなので、取付けが簡単である。
【０００７】
さらに請求項２記載の発明による浴室戸は、端部キャップは、スロープ側に突出する突出部を備え、突出部は係止部を有し、係止部は、スロープの垂下壁又はタイト材保持部に設けた被係止部に係止していることで、端部キャップがスロープから抜けにくい。
【発明を実施するための最良の形態】
【０００８】
以下、本発明の実施の形態を図面に基づいて説明する。図４は、本発明の一実施形態に係る浴室戸の浴室側正面図であり、図３は、浴室戸の横断面図である。本浴室戸は、上枠１４と下枠１と左右の竪枠１５，１５を枠組みした枠内に二枚折戸１６を開閉自在に取付けたものとなっている。二枚折戸１６は、図３に示すように、左右の扉体１７，１７が側端部を突き合わせた状態で連結部材１８により折り曲げ自在に連結してあり、浴室側に突出するように折れ曲がって開閉する。
【０００９】
図１（ａ）（ｂ）は、それぞれ図３のＡ−Ａ、Ｂ−Ｂにおける縦断面図であり、脱衣室側の床面１９が浴室側の床面１３より若干高くなっており、浴室の床パン５７と脱衣室の床板５８の間に下枠１が配設してある。下枠１は、アルミニウム合金の押出形材で矩形中空状に形成され、下枠の上壁５５は略平坦で、浴室側に向って僅かに下向きに傾斜しており、浴室側の床面１３よりも若干高い位置に位置している。上壁５５からは浴室側に面して立ち上がり片１０が形成してあり、上壁５５の脱衣室側端部には脱衣室の床板５８への固定部２２が上方に突出して形成してあり、立ち上がり片１０と固定部２２との間に二枚折戸１６用のガイドレール２１が上方に突出して形成してあり、これらの上端の高さは略同じ高さにしてある。下枠１と浴室の床パン５７との隙間にはシーリング材２６が充填してある。立ち上がり片１０の浴室側には、スロープ３が下枠の上壁５５上面と浴室側の床面１３とに跨って配置してあり、スロープ３の頂部５６を立ち上がり片１０と略同じ高さにしてある。本浴室戸は、以上の構成により浴室出入口の段差を解消したバリアフリータイプとなっている。
下枠１の立ち上がり片１０は、上端部の浴室側に下方に突出する鉤状のスロープ係合部２３を有している。スロープ３は、幅が４０ｍｍ以下、上壁の傾斜が１／５以下、浴室側先端部の段差が５ｍｍ以下に設定した低いものとなっており、公的なバリアフリーの基準に適応している。二枚折戸１６の下框２４の浴室側の下部には、下枠の立ち上がり片１０の上面に当接するタイト材５０が取り付けてあり、下枠１の固定部２２には、下框２４の脱衣室側面に当接するタイト材２５が取付けてある。折戸を閉めると、タイト材５０により下框２４と立ち上がり片１０の間から下枠１上面に浴室から水が浸入するのを阻止でき、たとえ浸入してもタイト材２５により脱衣室側に水が浸入するのを阻止している。
【００１０】
スロープ３は、アルミニウム合金の押出形材で形成してあり、図３に示すように、スロープ３の長手方向の両端部に合成樹脂製の端部キャップ４が取付けてある。スロープ３は、図１（ａ）に示すように、浴室側に向って下方に緩やかに傾斜した上面壁２７と下枠１の立ち上がり片１０に隣接する垂下壁３０とで、下方に開放した空間部５１を形成している。上面壁２７の浴室側端部下面側には、下側に開口部を有する溝状のタイト材保持部５が長手方向に形成してあり、タイト材保持部５に浴室床面１３と当接するタイト材２８が取付けてある。このタイト材２８により、スロープ３内に浴室の水が浸入するのを防いでいる。図５（ｂ）に示すように、スロープ３端部のタイト材保持部５を形成している底壁５３には、端部キャップ４を係止するための切欠け部９が四角い孔状に形成してある。またスロープ３は、脱衣室側端部上面側に上方に突出する鉤状の被係合部２９を有しており、図１（ａ）に示すように、被係合部２９が下枠立ち上がり片１０のスロープ係合部２３と係合している。スロープ３端部の垂下壁３０には、図５（ａ）に示すように、端部キャップ４を係止するための切欠け部３１と、立ち上がり片１０よりも脱衣室側の下枠１上に侵入した水をスロープ３内の空間部５１を通して浴室側に排水するための排水口３２とが形成してある。上面壁２７の脱衣室側端部下側には、溝部３３が形成してある。
【００１１】
端部キャップ４は、図６に示すように、キャップ本体部３４と、キャップ本体部３４のスロープ３側に突出して形成した挿入部６と、突出部７と、裏板部３５と、脱衣室側係止片３６とを有している。キャップ本体部３４は、スロープ３の上面壁２７と面一状となる傾斜した上壁３７を有し、上壁３７の裏面側に左右の横壁３８ａ，３８ｂと補強リブ３９とが下方に突出して形成してあり、上壁３７と下枠１上面及び浴室床面１３との間に空間部５４が形成されるように下方側が開放した形状となっている。スロープ３側の横壁３８ａと補強リブ３９には開口部４０が設けてあり、キャップ本体部３４内の空間部５４とスロープ３内の空間部５１とが連通するようにしてある。さらにキャップ本体部３４の浴室側面と脱衣室側面には、キャップ本体部３４内の空間部５４と連通する排水口１２，４５が、下向きのコの字形で複数形成されている。キャップ本体部３４の脱衣室側端部上面側には、上壁３７よりも一段低くなった段部４１を有し、段部４１から突出して山型の突部４２が形成してある。
挿入部６は、スロープ３のタイト材保持部５内に挿入するものであり、タイト材保持部５内に嵌合する断面Ｔ字形の棒状に形成してある。突出部７は、挿入部６先端部の下面からタイト材保持部５と平行にのびており、突出部７の先端にタイト材保持部の切欠け部９に係止する係止部８が上方に突出して形成してある。裏板部３５は、スロープ３の上面壁２７の裏面側に当接するものであり、裏板部３５の脱衣室側の縁部が、スロープ３に形成した溝部３３に嵌合保持される。脱衣室側係止片３６は、スロープ３の垂下壁３０の内側（浴室側）に差し込まれるものであり、その先端部に垂下壁３０に形成した切欠け部３１に係止する係止部４３を有している。
【００１２】
端部キャップ４は、図７に示すように、挿入部６と裏板部３５と脱衣室側係止片３６を、スロープ３のタイト材保持部５、上面壁２７の裏面側、垂下壁３０の内側にそれぞれ差し込んで取付けられる。図８は、端部キャップ４をスロープ３に途中まで差し込んだ状態を示しており、このとき突出部７は、図８（ａ）に示すように下向きに折れ曲がるように変形し、脱衣室側係止片３６は、図８（ｂ）に示すように浴室側に折れ曲がるように変形する。端部キャップ４を、キャップ本体側の横壁３８ａがスロープ３の端面に当接するまで差し込むと、図２（ｂ）に示すように、突出部７先端の係止部８がタイト材保持部５に形成した切欠け部９に係止すると共に、脱衣室側係止片３６先端の係止部４３がスロープの垂下壁３０に形成した切欠け部３１に係止し、簡単には抜けなくなる。また、突出部７の先端にはタイト材２８の端面が当接し、タイト材２８の横移動を突出部７により規制している。すなわち突出部７は、タイト材２８の見切り片としても機能し、タイト材２８をカシメることなくタイト材保持部５に固定できると共に、端部キャップ４を外すだけでタイト材２８の交換が行える。
【００１３】
下枠１の立ち上がり片１０の左右端部側には、図７に示すように、端部キャップ４内の空間部５４と連通する排水口１１ａと、スロープ３内の空間部５１と連通する排水口１１ｂとがそれぞれ二つずつ形成してある。下枠１のガイドレール２１にも排水口４４が形成してある。
【００１４】
図９は、端部キャップ４を取付けたスロープ３を、下枠１の立ち上がり片１０に取付けるときの様子を示しており、スロープ３を浴室側が高くなるように傾けて、スロープ３の脱衣室側端部に形成した被係合部２９を下枠立ち上がり片１０のスロープ係合部２３に下から係合させ、その後スロープ３を浴室側に倒すことによって簡単に取付けることができる。スロープ３を浴室側に倒すと、図１（ｂ）に示すように、端部キャップ４の脱衣室側端部上面に形成した山型の突部４２の上面が、下枠１のスロープ係合部２３の下端に当接するため、スロープ３の浴室側が浮き上がるのを防止できる。もっとも、スロープ３の浴室側端部と浴室床面１３との間に細い棒状の工具を差し込んで持ち上げればスロープ３は容易に起こすことができるし、スロープ３の下で浴室床面１３と下枠の上壁５５が平坦で略連続しており溝や突起部等が形成されていないため、スロープ３の下の掃除を容易に行うことができる。
【００１５】
本浴室戸は以上のように構成され、下枠１の平坦な上壁５５を浴室床面１３と略同じ高さに位置させ、スロープ３を立ち上がり片１０の浴室側に配置し、スロープの頂部５６を立ち上がり片１０と略同じ高さにしたので、スロープ３の高さを低くすることができる。スロープ３は、脱衣室側端部上面側に形成した被係合部２９を下枠立ち上がり片１０のスロープ係合部２３に下から係合しているので、スロープ３が外れたり浮き上がったりすることがなく、また低いスロープ３であってもその内部に広い空間部５１を形成できる。
さらに、スロープ３の浴室側端部下面側に取付けたタイト材２８が浴室床面１３に当接しており、下框２４の浴室側下端に取付けたタイト材５０が立ち上がり片１０に当接することで、浴室側の水が立ち上がり片１０を超えて脱衣室側に浸入しにくくしている。それでも立ち上がり片１０を越えて下枠１上面に水が浸入したときには、浸入した水は立ち上がり片１０とガイドレール２１の端部側にそれぞれ形成した排水口１１ａ，１１ｂ，４４から、端部キャップ４内の空間部５４とスロープ３内の空間部５１に流れ、端部キャップ４浴室側の排水口１２から速やかに浴室側に排水される。さらに、端部キャップ４の挿入部６下側のタイト材保持部５と浴室床面１３との間に隙間４６が形成してあり、この隙間４６からも排水できる。スロープ３内部の空間部５１は、下枠１上の立ち上がり片１０よりも脱衣室側に浸入した水を浴室側に排水する過程や、湯船からお湯が溢れるなどして下枠１側に水が大量に押し寄せた際に、水を一次的に溜めておく働きがある。
【００１６】
図１０は、端部キャップ４の別の実施形態を示している。この端部キャップ４は、上壁３７に脱衣室側から浴室側に向けて切り込み４７を二本平行に形成して、上壁３７に下枠１のスロープ係合部２３に対する弾性係止片４８が形成してある。弾性係止片４８の脱衣室側端部には、下枠１のスロープ係合部２３に係止する係止部４９が上方に突出して形成してある。端部キャップ４のスロープ３への取付け部の構造は、先に説明した実施形態と同様である。
図１１は、この端部キャップ４を使用したスロープ３の下枠１への取付手順を示しており、まず図１１（ａ）に示すように、端部キャップ４の弾性係止片４８を指で押して下方に変形させ、スロープ３を浴室側から脱衣室側に向けて水平移動させる。その後、押さえていた指を離せば弾性係止片４８が復帰し、図１１（ｂ）に示すように係止部４９が下枠立ち上がり片１０のスロープ係合部２３に係止してスロープ３が下枠１に固定される。スロープ３を外す際には、弾性係止片４８を下方に押し込んだ状態でスロープ３を浴室側に水平移動させればよい。なお、この端部キャップ４を使用する場合には、スロープ３に被係合部２９は不要である。このように、スロープ３を直接下枠の立ち上がり片１０に係合するのではなく、端部キャップ４を立ち上がり片１０に係合して、スロープ３を立ち上がり片１０に着脱自在とすることもできる。
【００１７】
図１２は、端部キャップ４のさらに別の実施形態を示しており、図６のものとは突出部７の形態が異なっている。突出部７は、挿入部６とは別に、挿入部６の隣にタイト材保持部５と平行にのばしてあり、突出部７の先端に横向きに突出して形成した係止部８が、タイト材保持部５の脱衣室側の縦壁５２及び底壁５３に形成した切欠け部９に係止している。
【００１８】
本発明は、上述した実施の形態に限らず、本発明の要旨を逸脱しない範囲で種々変形可能である。端部キャップは、裏板や脱衣室側係止片が無くてもよい。スロープの被係止部は、孔や突起であってもよい。戸の形態は、引き戸や開き戸等であってもよい。  
【図面の簡単な説明】
【００１９】
【図１】（ａ）は図３のＡ−Ａ断面図、（ｂ）は図３のＢ−Ｂ断面図である。
【図２】（ａ）はスロープの端部及び端部キャップを浴室側から見た図であり、（ｂ）は同じくスロープの端部及び端部キャップの底面図である。
【図３】浴室戸の横断面図である。
【図４】浴室戸の浴室側正面図である。
【図５】（ａ）はスロープ端部の脱衣室側面図、（ｂ）はスロープ端部の底面図、（ｃ）はスロープの側面図である。
【図６】（ａ）は端部キャップの浴室側面図、（ｂ）は端部キャップの平面図、（ｃ）は端部キャップの脱衣室側面図、（ｄ）は端部キャップのスロープ側の側面図、（ｅ）は（ｂ）のＡ−Ａ断面図である。
【図７】下枠とスロープの端部及び端部キャップを示す分解斜視図である。
【図８】（ａ）は端部キャップをスロープに差し込む途中の状態を示す浴室側面図であり、（ｂ）は同底面図である。
【図９】スロープを下枠に取付けるときの様子を示す下枠周辺の縦断面図である。
【図１０】（ａ）は端部キャップの他の実施形態を示す平面図であり、（ｂ）は同浴室側面図であり、（ｃ）は（ｂ）のＢ−Ｂ断面図である。
【図１１】図１０に示す端部キャップを使用した場合のスロープの取付手順を示す縦断面図である。
【図１２】端部キャップの他の実施形態を示すスロープ端部及び端部キャップの底面図である。
【符号の説明】
【００２０】
１  下枠
３  スロープ
４  端部キャップ
５  タイト材保持部
６  挿入部
７  突出部
８，４３  係止部
９，３１  切欠け部（被係止部）
１０  立ち上がり片
１１ａ，１１ｂ  排水口
１２  排水口
１３  浴室床面
２８，５０  タイト材
２７  スロープの上面壁
３０  スロープの垂下壁
３４  キャップ本体部
３５  裏板部（挿入部）
３６  脱衣室側係止片（突出部）
５１  スロープの空間部
５４  端部キャップの空間部
５５  下枠の上壁
５６  スロープの頂部
【図１】
0004539486.tif 000002
【図２】
0004539486.tif 000003
【図３】
0004539486.tif 000004
【図４】
0004539486.tif 000005
【図５】
0004539486.tif 000006
【図６】
0004539486.tif 000007
【図７】
0004539486.tif 000008
【図８】
0004539486.tif 000009
【図９】
0004539486.tif 000010
【図１０】
0004539486.tif 000011
【図１１】
0004539486.tif 000012
【図１２】
0004539486.tif 000013